(57)【要約】【課題】従来使われていた受板を使用することなく郵便仕分箱を安定的に保持し、郵便仕分箱の取付作業を簡略化すること。【解決手段】郵便仕分箱１の固定構造は、ほぼ水平に片持ち支持された一対のブラケット４，５と、それらブラケット４，５の上に支持される郵便仕分箱１と、郵便仕分箱１をブラケット４，５に固定するための固定具６とを備える。固定具６は、各ブラケット４，５に挿通される挿通孔を有する基枠６ｂと、その基枠６ｂの上端にて表側へ屈曲する第１フック６ｃ及び裏側へ屈曲する第２フック６ｄを含む。そして、第１フック６ｃ又は第２フック６ｄを郵便仕分箱１の外壁上端に係合させて基枠６ｂを挿通孔にてブラケット４，５に挿通すると共に、郵便仕分箱１をブラケット４，５の上に載せることにより、郵便仕分箱１をブラケット４，５に固定するようになっている。【選択図】        図１
2006110407.tif 000002
【特許請求の範囲】
【請求項１】
ほぼ水平に片持ち支持された複数のブラケットと、
前記複数のブラケットの上に支持される郵便仕分箱と、
前記郵便仕分箱を前記ブラケットに固定するための固定具と、
前記固定具は、前記各ブラケットに挿通される挿通孔を有する基枠と、その基枠の上端にて表側へ屈曲する第１フック及び裏側へ屈曲する第２フックとを含むことと
を備え、前記第１フック又は前記第２フックを前記郵便仕分箱の外壁上端に係合させて前記基枠を前記挿通孔にて前記ブラケットに挿通すると共に、前記郵便仕分箱を前記ブラケットの上に載せることにより前記郵便仕分箱を前記ブラケットに固定することを特徴とする郵便仕分箱の固定構造。
【請求項２】
前記固定具の前記基枠には、前記挿通孔にて下方へ向けて舌片が形成され、その舌片の先端には、段差が形成されることを特徴とする請求項１に記載の郵便仕分箱の固定構造。
【請求項３】
前記固定具は、前記基枠を、前記ブラケットが取り付けられる基台に対して固定するための固定手段を備えたことを特徴とする請求項１又は２に記載の郵便仕分箱の固定構造。
【請求項４】
ほぼ水平に片持ち支持された複数のブラケットの上に支持される郵便仕分箱を前記ブラケットに固定するための固定具であって、
前記各ブラケットに挿通される挿通孔を有する基枠と、
前記基枠の上端にて表側へ屈曲する第１フックと、
前記基枠の上端にて裏側へ屈曲する第２フックと
を備え、前記第１フック又は前記第２フックを前記郵便仕分箱の外壁上端に係合させて前記基枠を前記挿通孔にて前記ブラケットに挿通すると共に、前記郵便仕分箱を前記ブラケットの上に載せることにより前記郵便仕分箱を前記ブラケットに固定することを特徴とする郵便仕分箱用固定具。
【請求項５】
前記基枠には、前記挿通孔にて下方へ向けて舌片が形成され、その舌片の先端には、段差が形成されることを特徴とする請求項４に記載の郵便仕分箱用固定具。
【請求項６】
前記基枠を、前記ブラケットが取り付けられる基台に対して固定するための固定手段を備えたことを特徴とする請求項４又は５に記載の郵便仕分箱用固定具。
【発明の詳細な説明】
【技術分野】
【０００１】
この発明は、郵便局において年賀はがき等の郵便を戸別配達順に仕分け整理するのに使用される郵便仕分箱に係り、詳しくは、その郵便仕分箱の固定構造及び郵便仕分箱用固定具に関する。
【背景技術】
【０００２】
従来より、郵便はがき等を仕分けするために郵便仕分箱が使用されている。例えば、年賀はがきなどを戸別配達順に仕分け整理するために、この郵便仕分箱（この場合「年賀用戸別組立箱」とも言う。）は、専用の受棚枠に支持され、郵便局員が椅子に座ったり、立ったりした状態で仕分作業をするようになっている。この種の受棚枠については、例えば、下記の特許文献１及び２に記載されている。
【０００３】
ここで、受棚枠等における郵便仕分箱の支持構造について以下に説明する。図１５には、受棚枠の一部を正面図により示す。図１６には、図１５の平面図を示す。図１７には、図１５の右側面図を示す。図１８には、図１７の破線円の部分を拡大して示す。受棚枠は、左右一対の立枠４１，４２を備え、各立枠４１，４２には、左右一対をなすブラケット４３，４４がほぼ水平に片持ち支持されている。これらブラケット４３，４４の上には、受板４５が支持されるとともに、その受板４５が蝶番金具４６を介して各ブラケット４３，４４に固定されている。そして、この受板４５の上に郵便仕分箱４７が載置されることにより、その仕分箱４７が立枠４１，４２に支持されている。図１７，１８に示すように、蝶番金具４６は、受板４５の後端に予め取り付けられ、各ブラケット４３，４４に挿通される取付板４６ａを備える。この取付板４６ａを各ブラケット４３，４４に挿通して取り付けることにより、蝶番金具４６を介して受板４５が各ブラケット４３，４４に固定される。
【０００４】
ここで、従来の郵便仕分箱４７の斜視図を図１９に示す。図１５〜１７，１９に示すように、従来の郵便仕分箱４７は、浅底な角形箱であり、その内部が縦横の仕切壁４８ａ，４８ｂにより複数の部屋４９に仕切られている。従って、この郵便仕分箱４７に対しては、各部屋４９の真上から郵便はがき等が差し込まれるようになっている。
【０００５】
【特許文献１】特開平６−１４２６２０号公報
【特許文献２】特開平７−１６３９５２号公報
【発明の開示】
【発明が解決しようとする課題】
【０００６】
ところが、上記した郵便仕分箱４７の支持構造では、受棚枠等の立枠４１，４２に設けられたブラケット４３，４４に対して郵便仕分箱４７を支持するために、受板４５を使用しなければならず、受板４５の分だけ部品点数が増え、全体が嵩張ることになり、取付作業も簡略的ではなかった。また、郵便仕分箱４７は、受板４５の上に載っているだけであり、それ自体固定されないことから、位置ずれの懸念があった。
【０００７】
この発明は上記事情に鑑みてなされたものであって、その目的は、従来使われていた受板を使用することなく郵便仕分箱を安定的に保持すると共に、郵便仕分箱の取付作業を簡略化することを可能とした郵便仕分箱の固定構造及び郵便仕分箱用固定具を提供することになる。
【課題を解決するための手段】
【０００８】
上記目的を達成するために、請求項１に記載の発明は、ほぼ水平に片持ち支持された複数のブラケットと、複数のブラケットの上に支持される郵便仕分箱と、郵便仕分箱をブラケットに固定するための固定具と、固定具は、各ブラケットに挿通される挿通孔を有する基枠と、その基枠の上端にて表側へ屈曲する第１フック及び裏側へ屈曲する第２フックとを含むこととを備え、第１フック又は第２フックを郵便仕分箱の外壁上端に係合させて基枠を挿通孔にてブラケットに挿通すると共に、郵便仕分箱をブラケットの上に載せることにより郵便仕分箱をブラケットに固定することを趣旨とする。
【０００９】
上記発明の構成によれば、郵便仕分箱が複数のブラケットの上に直接載せらて固定具を介してブラケットに固定される。また、固定具は、基枠を挿通孔にてブラケットに挿通するだけでブラケットに容易に取り付けられる。また、固定具は、表側又は裏側のどの向きでブラケットに取り付けても、第１フック又は第２フックの何れかを郵便仕分箱の外壁上端に係合させることが可能となる。
【００１０】
上記目的を達成するために、請求項２に記載の発明は、請求項１に記載の発明において、固定具の基枠には、挿通孔にて下方へ向けて舌片が形成され、その舌片の先端には、段差が形成されることを趣旨とする。
【００１１】
上記発明の構成によれば、請求項１に記載の発明の作用に加え、ブラケットに固定具が取り付けられた状態で、舌片の先端がブラケットに係合する。また、基枠の表側を手前に向けたときと裏側を手前に向けたときとで段差が左右逆となり、ブラケットとの係合位置が変わる。
【００１２】
上記目的を達成するために、請求項３に記載の発明は、請求項１又は２に記載の発明において、固定具は、基枠を、ブラケットが取り付けられる基台に対して固定するための固定手段を備えたことを趣旨とする。
【００１３】
上記発明の構成によれば、請求項１又は２に記載の発明の作用に加え、固定具の基枠が、固定手段により基台に対して固定されるので、固定具の位置ずれが抑えられる。
【００１４】
上記目的を達成するために、請求項４に記載の発明は、ほぼ水平に片持ち支持された複数のブラケットの上に支持される郵便仕分箱をブラケットに固定するための固定具であって、各ブラケットに挿通される挿通孔を有する基枠と、基枠の上端にて表側へ屈曲する第１フックと、基枠の上端にて裏側へ屈曲する第２フックとを備え、第１フック又は第２フックを郵便仕分箱の外壁上端に係合させて基枠を挿通孔にてブラケットに挿通すると共に、郵便仕分箱をブラケットの上に載せることにより郵便仕分箱をブラケットに固定することを趣旨とする。
【００１５】
上記発明の構成によれば、郵便仕分箱が複数のブラケットの上に直接載せられ、固定具を介してブラケットに固定される。また、固定具は、基枠を挿通孔にてブラケットに挿通するだけでブラケットに容易に取り付けられる。また、固定具は、表側又は裏側のどの向きでブラケットに取り付けても、第１フック又は第２フックの何れかを郵便仕分箱の外壁上端に係合させることが可能となる。
【００１６】
上記目的を達成するために、請求項５に記載の発明は、請求項４に記載の発明において、基枠には、挿通孔にて下方へ向けて舌片が形成され、その舌片の先端には、段差が形成されることを趣旨とする。
【００１７】
上記発明の構成によれば、請求項４に記載の発明の作用に加え、ブラケットに固定具が取り付けられた状態で、舌片の先端がブラケットに係合する。また、基枠の表側を手前に向けたときと裏側を手前に向けたときとで段差が左右逆となり、ブラケットとの係合位置が変わる。
【００１８】
上記目的を達成するために、請求項６に記載の発明は、請求項４又は５に記載の発明において、基枠を、ブラケットが取り付けられる基台に対して固定するための固定手段を備えたことを趣旨とする。
【００１９】
上記発明の構成によれば、請求項４又は５に記載の発明の作用に加え、基枠が、固定手段により基台に対して固定されるので、基枠の位置ずれが抑えられる。
【発明の効果】
【００２０】
請求項１に記載の発明によれば、従来使われていた受板を使用することなく郵便仕分箱を安定的に保持することができ、郵便仕分箱の取付作業を簡略化することができる。
【００２１】
請求項２に記載の発明によれば、請求項１に記載の発明の効果に加え、基枠の表側と裏側を使い分けることで、ブラケットの形態の違いに合わせて固定具をブラケットに係合させることができる。
【００２２】
請求項３に記載の発明によれば、請求項１又は２に記載の発明の効果に加え、郵便仕分箱を基台に対して安定的に保持することができる。
【００２３】
請求項４に記載の発明によれば、従来使われていた受板を使用することなく郵便仕分箱を安定的に保持することができ、郵便仕分箱の取付作業を簡略化することができる。
【００２４】
請求項５に記載の発明によれば、請求項４に記載の発明の効果に加え、基枠の表側と裏側を使い分けることで、ブラケットの形態の違いに合わせて固定具をブラケットに係合させることができる。
【００２５】
請求項６に記載の発明によれば、請求項４又は５に記載の発明の効果に加え、郵便仕分箱を基台に対して安定的に保持することができる。
【発明を実施するための最良の形態】
【００２６】
［第１実施形態］
以下、本発明における郵便仕分箱の固定構造及び郵便仕分箱用固定具を具体化した第１実施形態につき図面を参照して詳細に説明する。
【００２７】
図１に、本実施形態における郵便仕分箱１の固定構造を側面図により示す。図２に、同じく固定構造を、郵便仕分箱１の一部を破断して正面図により示す。図３に、同じく固定構造を平面図により示す。
【００２８】
この実施形態では、背景技術の説明と同様に、受棚枠に対する郵便仕分箱１の固定構造について説明する。本発明の基台に相当する新型の受棚枠は、左右一対の立枠２，３を備え、各立枠２，３には、左右一対をなすブラケット４，５がほぼ水平に片持ち支持される。これらブラケット４，５は、各立枠２，３に対して折り畳み可能に組み付けられる。この実施形態の固定構造は、上記した一対のブラケット４，５と、それらブラケット４，５の上に支持される郵便仕分箱１と、その郵便仕分箱１を各ブラケット４，５に固定するための固定具６とを備える。この固定構造は、固定具６の一部を郵便仕分箱１に係合させて固定具６を各ブラケット４，５に取り付けると共に、郵便仕分箱１を両方のブラケット４，５の上に載せることで、郵便仕分箱１を両方のブラケット４，５に固定するようになっている。
【００２９】
図４に、固定具６を正面図により示す。図５に、固定具６を背面図により示す。図６に、固定具６を右側面図により示す。この固定具６は、各ブラケット４，５に挿通される挿通孔６ａを有する板状をなす基枠６ｂと、その基枠６ｂの上端にて表側へ屈曲する第１フック６ｃ及び裏側へ屈曲する第２フック６ｄとを含む。この実施形態において、基枠６ｂは、金属板をプレス成形することにより形成される。第１フック６ｃは、基枠６ｂの幅方向中央に一つ設けられる。第２フック６ｄは、第１フック６ｃの両脇に一つずつ合計二つ設けられる。各フック６ｃ，６ｄは金属板が折り曲げられることにより形成される。図４，５に示すように、固定具６の基枠６ｂには、挿通孔６ａにて下方へ向けて舌片６ｅが一体形成される。この舌片６ｅの先端には、高さの異なる段差６ｆが形成される。
【００３０】
この実施形態において、郵便仕分箱１は、郵便はがき等を仕分けするために使用され、特に、年賀はがきを戸別配達順に仕分け整理するために使用される「年賀用戸別組立箱」と称する。この郵便仕分箱１は、図１〜３に加え、図７に図３のＡ−Ａ線断面図により示される。この郵便仕分箱１は、従来の浅底な角形箱とは異なり、前後ひな壇式の二段構造を備え、合成樹脂により一体成形される。この郵便仕分箱１は、前側の外壁が省略されると共に、従来の角形箱とは異なり、内部にて横方向に延びる仕切壁が省略され、前後方向に延びる複数の仕切壁１１のみにより複数の部屋１２に仕切られる。各部屋１２は、上記したように前側の下段１２ａと後側の上段１２ｂとを含む。従って、この郵便仕分箱１には、各部屋１２に対して真上から、あるいは、前側から年賀はがきを差し込むことができる。
【００３１】
図３，７に示すように、この郵便仕分箱１の後側外壁１３の上端には、その長手方向に沿って差込溝１４が形成される。この差込溝１４には、仕分作業に必要な道順ファイルを、別部品を使うことなく立て掛けることができる。各部屋１２の下段１２ａ及び上段１２ｂには、それぞれごみ落とし孔１５，１６が形成される。また、この郵便仕分箱１の左右両側には、下段１２ａの側板１７に対応して突起１８が形成され、上段１２ｂに対応して差込孔１９が形成される。従って、二つの郵便仕分箱１について、一方の箱１の二つの突起１８を、他方の箱１の差込孔１９に差し込むように二つの箱１を互いに積み上げることにより、収納時のずれを防止することができる。また、図３に示すように、郵便仕分箱１の下面の左右前側には、一対をなす大小の円筒脚２０，２１が形成される。これら円筒脚２０，２１は、互いに径が異なることから、二つの郵便仕分箱１にいて、一方の箱１における小径の円筒脚２１を、他方の箱１における大径の円筒脚２０の中に差し込むように二つの箱１を互いに積み上げることにより、収納時の積み上げずれを防止することができる。また、図７に示すように、この郵便仕分箱１は、その下面に設けられた前側の円筒脚２０，２１と後側の脚２２との長さ及び先端角度等の関係により、この箱１が水平面２３上に置かれることにより、下段１２ａ及び上段１２ｂが共に底面を所定角度だけ後方へ傾斜付けされる。この傾斜付けにより、各部屋１２にて、年賀はがきを整理し易く、かつ、移動中に各部屋１２の入り口から年賀はがきが落ちないようになっている。また、図１，７に示すように、この郵便仕分箱１の左右両側に位置する側壁１７は、階段形状をなすことから、取っ手としても機能し、持ち易くなっている。さらに、各部屋１２の下段１２ａと上段１２ｂとの間には、傾斜面１２ｃが設けられる。この傾斜面１２ｃに番号などを付すことにより、各部屋１２の区別がつき易くなっている。
【００３２】
次に、上記した固定具６を使用して郵便仕分箱１をブラケット４，５に固定するための作業手順を説明する。図８，９には、新型の受棚枠のブラケット４，５に対する作業手順を斜視図に示す。郵便仕分箱１を、新型の受棚枠のブラケット４，５に固定するには、図８に示すように、固定具６の第１フック６ｃ又は第２フック６ｄを郵便仕分箱１の後側外壁１３の上端に係合させる。この場合、固定具６の基枠６ｂの表側を手前に向けた状態で、第１フック６ｃを後側外壁１３の上端に係合させる。この場合、左右一対のブラケット４，５に対応して二つの固定具６を使用する。上記した係合状態において、固定具６の基枠６ｂを挿通孔６ａにてブラケット４，５に挿通する。そして、図９に示すように、郵便仕分箱１を両方のブラケット４，５の上に載せると共に、固定具６をブラケット４，５の基端部まで移動させることにより、郵便仕分箱１を固定具６を介してブラケット４，５に固定する。この固定状態において、ブラケット４，５は、図７に二点鎖線で示すように、郵便仕分箱１の上段１２ｂの下面に係合する。
【００３３】
ここで、図８に示すように、新型の受棚枠のブラケット４，５は、上側に開口溝７を有する。また、固定具６の基枠６ｂには、挿通孔６ａに舌片６ｅが形成され、その舌片６ｅの先端に段差６ｆが形成される。従って、ブラケット４，５に固定具６が取り付けられた状態では、図９に示すように、舌片６ｅの先端がブラケット４，５の開口溝７の中に嵌り込んでブラケット４，５に係合することになる。
【００３４】
一方、図１０，１１には、旧型の受棚枠のブラケット２４，２５に対する作業手順を斜視図により示す。この場合、左右一対のブラケット２４，２５に対応して二つの固定具６を使用する。郵便仕分箱１を、旧型の受棚枠のブラケット２４，２５に固定するには、図１０に示すように、基枠６ｂの裏側を手前に向けた状態で、第２フック６ｄを後側外壁１３の上端に係合させる。このように基枠６ｂの裏側を手前に向けたときとには、基枠６ｂの表側を手前に向けたときに比べて、舌片６ｅの段差６ｆが左右逆となり、ブラケット２４，２５との係合位置が変わる。この係合状態において、固定具６の基枠６ｂを挿通孔６にてブラケット２４，２５に挿通する。そして、図１１に示すように、郵便仕分箱１をブラケット２４，２５の上に載せると共に、固定具６をブラケット２４，２５の基端部まで移動させることにより、郵便仕分箱１を固定具６を介してブラケット２４，２５に固定する。
【００３５】
ここで、図１０に示すように、旧型の受棚枠のブラケット２４，２５は、上側に開口溝がなく塞がっている。また、基枠６ｂの舌片６ｆの先端には、段差６ｅが形成される。従って、ブラケット２４，２５に固定具６が取り付けられた状態では、図１１に示すように、舌片６ｅの段差６ｆの低い方がブラケット２４，２５の上側面に係合することになる。
【００３６】
以上説明したこの実施形態における固定構造及びその固定具６によれば、郵便仕分箱１が一対のブラケット４，５（２４，２５）の上に直接載せらて固定具６を介してブラケット４，５（２４，２５）に固定される。このため、従来使われていた受板４５を使用することなく、郵便仕分箱１をブラケット４，５（２４，２５）に保持することができる。また、固定具６は、その基枠６ｂを挿通孔６ａにてブラケット４，５（２４，２５）に挿通するだけで、ブラケット４，５（２４，２５）に対して容易に取り付けられる。また、固定具６は、基枠６ｂの表側又は裏側の何れの向きでブラケット４，５（２４，２５）に取り付けても、第１フック６ｃ又は第２フック６ｄの何れかを郵便仕分箱１の後側外壁１３の上端に係合させることが可能となる。このため、郵便仕分箱１を安定的に保持することができ、固定具６を使用して、郵便仕分箱１をワンタッチでブラケット４，５（２４，２５）に固定することができ、郵便仕分箱１の取付作業を簡略化することができる。
【００３７】
この実施形態では、固定具６の基枠６ｂに舌片６ｅが設けられ、その舌片６ｅに段差６ｆが形成されるので、固定具６の表側と裏側を使い分けることで、ブラケット４，５（２４，２５）の形態の違いに合わせて、固定具６をブラケット４，５（２４，２５）のそれぞれに対し好適に係合させることができる。この意味でも、郵便仕分箱１をブラケット４，５（２４，２５）に対して安定的に保持することができる。
【００３８】
［第２実施形態］
次に、本発明の郵便仕分箱用固定具を具体化した第２実施形態につき図面を参照して詳細に説明する。
【００３９】
図１２に、この実施形態の固定具６の正面図を示す。図１３に、固定具６の背面図を示す。図１４に、固定具６の右側面図を示す。この固定具６が、第１実施形態の固定具６と異なるのは、基枠６ｂを、立枠２，３に対して固定するための固定手段としての固定部材２６を備えた点である。この実施形態で、固定部材２６は、緩衝材料により小ブロック状に形成される台座２７と、その台座２７の上面に接合された係合布材２８と、その係合布材２８に対して着脱可能に設けられた別の係合布材２９とから構成される。図１４に示すように、この固定部材２６は、別の係合布材２９を、立枠２，３の表面３０に予め接合しておき、固定具６の台座２７に接合した係合布材２８を別の係合布材２９に係合させることにより、基枠６ｂを、固定部材２６を介して立枠２，３に固定するようになっている。従って、固定部材２６により固定具６の位置ずれが抑えられるので、郵便仕分箱１を、立枠２，３に対して安定的に保持することができる。
【００４０】
尚、この発明は前記各実施形態に限定されるものではなく、発明の趣旨を逸脱することのない範囲で以下のように実施することもできる。
【００４１】
（１）前記各実施形態では、基枠６ｂの挿通孔３０に舌片６ｅを設けたが、この舌片６ｅを省略することもできる。
【００４２】
（２）前記第２実施形態では、基枠６ａに固定手段としての固定部材２６を設けたが、この固定部材２６の代わりに、立枠２，３に巻き付けるゴムバンドを固定手段として基枠に連結可能に設けてもよい。
【００４３】
（３）前記各実施形態では、固定具６の基枠６ｂを金属板製としたが、その他の材料、例えば、合成樹脂により製造してもよい。
【図面の簡単な説明】
【００４４】
【図１】郵便仕分箱の固定構造を示す側面図。
【図２】同じく固定構造を、郵便仕分箱の一部を破断して示す正面図。
【図３】同じく固定構造を示す平面図。
【図４】固定具を示す正面図。
【図５】固定具を示す背面図。
【図６】固定具を示す右側面図。
【図７】郵便仕分箱を示す図３のＡ−Ａ線断面図。
【図８】ブラケットへの固定作業手順を示す斜視図。
【図９】ブラケットへの固定作業手順を示す斜視図。
【図１０】ブラケットへの固定作業手順を示す斜視図。
【図１１】ブラケットへの固定作業手順を示す斜視図。
【図１２】固定具を示す正面図。
【図１３】固定具を示す背面図。
【図１４】固定具を示す右側面図。
【図１５】従来の郵便仕分箱の支持構造を示す正面図。
【図１６】同じく従来の支持構造を示す平面図。
【図１７】同じく従来の支持構造を示す右側面図。
【図１８】図１７の部分拡大図。
【図１９】従来の郵便仕分箱を示す斜視図。
【符号の説明】
【００４５】
１    郵便仕分箱
４    ブラケット
５    ブラケット
６    固定具
６ａ    挿通孔
６ｂ    基枠
６ｃ    第１フック
６ｄ    第２フック
６ｅ    舌片
６ｆ    段差
２４    ブラケット
２５    ブラケット
２６    固定部材（固定手段）
【図１】
2006110407.tif 000003
【図２】
2006110407.tif 000004
【図３】
2006110407.tif 000005
【図４】
2006110407.tif 000006
【図５】
2006110407.tif 000007
【図６】
2006110407.tif 000008
【図７】
2006110407.tif 000009
【図８】
2006110407.tif 000010
【図９】
2006110407.tif 000011
【図１０】
2006110407.tif 000012
【図１１】
2006110407.tif 000013
【図１２】
2006110407.tif 000014
【図１３】
2006110407.tif 000015
【図１４】
2006110407.tif 000016
【図１５】
2006110407.tif 000017
【図１６】
2006110407.tif 000018
【図１７】
2006110407.tif 000019
【図１８】
2006110407.tif 000020
【図１９】
2006110407.tif 000021